【事件の表示】
　特願２００３−５８２９４２「無線で送信された情報の送信モードをダイナミックに最適化するシステムおよび方法」拒絶査定不服審判事件〔平成１５年１０月１６日国際公開、ＷＯ０３／８５８７６、平成１７年　７月１４日国内公表、特表２００５−５２１３５８〕について、次のとおり審決する。
【結　論】
　本件審判の請求は、成り立たない。
【理　由】
１．手続の経緯と本願発明
　本願は、平成１５年２月３日（パリ条約による優先権主張　外国庁受理　平成１４年４月１日、アメリカ合衆国）を国際出願日とする出願であって、平成１９年７月１１日に手続補正がなされたが、平成２０年４月２５日付けで拒絶査定がなされ、これに対し、同年７月３０日に拒絶査定不服審判が請求されたものであって、特許請求の範囲の請求項２８に係る発明（以下、「本願発明」という。）は、平成１９年７月１１日付け手続補正書により補正された明細書及び図面からみて、その特許請求の範囲の請求項２８に記載された以下のとおりのものと認める。
　
「送信モードを動的に調整する方法において、
　第１送信モードに従って送信されたデータ信号の推定された性能特性と前記第１送信モードに従って送信されたデータ信号の予測された性能特性との間の差に関連する誤り係数を生成する段階と、
　チャンネルのデータベースおよび生成された前記誤り係数に少なくとも部分的に基づいて後続の送信モードを選択する段階と、
　を含むことを特徴とする方法。」
　
２．引用発明
（１）これに対して、原査定の拒絶の理由に引用された国際公開第０１／８２５２１号（以下、「引用例」という。）には、「METHOD AND APPARATUS FOR A RATE CONTROL IN A HIGH DATA RATE COMMUNICATION SYSTEM」として図面とともに以下の事項が記載されている。
　
イ．「I. Field of the Invention
 The current invention relates to communication. More particularly, the present invention relates to a novel method and apparatus for adaptive rate selection in a wireless communication system.」
（第１頁第６行〜第９行）
（仮訳：Ｉ．発明の分野
　本発明は通信に関連する。特に、本発明は無線通信システムにおける適応レート選択のための新規な方法と装置に関連する。）
　
ロ．「One approach to the aforementioned requirements in high data rate (HDR) systems is to keep the transmit power fixed and vary the data rate depending on the users'channel conditions. Consequently, in a modern HDR system, Access Point(s) (APs) always transmit at maximum power to only one Access Terminal (AT) in each time slot, and the AP uses rate control to adjust the maximum rate that the AT can reliably receive. An AP is a terminal allowing high data rate transmission to ATs.」
（第４頁第８行〜第１４行）
（仮訳：ハイデータレート（ＨＤＲ）システムにおける前述の要件のための１つのアプローチは、固定された伝送パワーを保持し、ユーザのチャンネル条件に依存してデータレートを変えることである。その結果、現代のＨＤＲシステムでは、アクセスポイント（ＡＰｓ）が各時間スロットにおいて１つのアクセス端末（ＡＴ）だけに最大パワーを常に伝送し、ＡＰはＡＴが確かに受信することができる最大のレートを調整するためレート制御を使用する。ＡＰはＡＴｓに高いデータレート伝送を許容する端末である。）
　
ハ．「An exemplary HDR system defines a set of data rates, ranging from 38.4kbps to 2.4 Mbps, at which an AP may send data packets to an AT. The data rate is selected to maintain a targeted packet error rate (PER). The AT measures the received signal to interference and noise ratio (SINR) at regular intervals, and uses the information to predict an average SINR over the next packet duration. An exemplary prediction method is disclosed in co-pending application serial number 09/394,980 entitled SYSTEM AND METHOD FOR ACCURATELY PREDICTING SIGNAL TO INTERFERENCE AND NOISE RATIO TO IMPROVE COMMUNICATIONS SYSTEM PERFORMANCE, assigned to the assignee of the present invention and incorporated herein by reference. 
 FIG.1 shows a conventional open loop rate control apparatus 100. A stream of past SINR values at instances [n-m],...[n-1],[n], each measured over a duration of a corresponding packet, is provided to a predictor 102. The predictor 102 predicts the average SINR over the next packet duration in accordance with the following equation : 
OL_SINRPredicted = OL_SINREstimated - K・σe　 (1)
 In Equation (1), OL_SINRPredicted is a SINR predicted by the open loop for the next packet, OL_SINREstimated is a SINR estimated by the open loop based on past SINR values, K is a back-off factor, and σe is a standard deviation of an error metric.
 The estimated SINR may be obtained, for example, by selecting an output from a bank of low pass filters acting on past measurements of SINR.Selection of a particular filter from the filter bank may be based on an error metric, defined as a difference between the particular filter output and measured SINR over a packet duration immediately following the output. The predicted SINR is obtained by backing off from the filter output by an amount equal to the product of the back-off factor K and the standard deviation σe of the error metric. The value of the back-off factor K is determined by a back-off control loop, which ensures that a tail probability, i.e., probability that predicted SINR exceeds the measured SINR, is achieved for a certain percentage of time.
 The SINRPredicted value is provided to a look up table 104 that maintains a set of SINR thresholds that represent the minimum SINR required to successfully decode a packet at each data rate. An AT (not shown) uses the look up table 104 to select the highest data rate whose SINR threshold is below the predicted SINR, and requests that an AP (not shown) send the next packet at this datarate.」
（第４頁第２０行〜第５頁第２９行）
（仮訳：例示的ＨＤＲシステムは３８．４ｋｂｐｓから２．４Ｍｂｐｓの範囲で一組のデータレートを定義し、そのレートでＡＰがデータパケットをＡＴに送るかもしれない。データレートは目標パケットエラーレート（ＰＥＲ）を維持するように選択される。ＡＴは一定の間隔で受信された信号に対する干渉雑音比（ＳＩＮＲ）について測定し、次のパケット期間上の平均ＳＩＮＲを予測するために情報を使用する。例示的予測方法は、“ＳＹＳＴＥＭ ＡＮＤ ＭＥＴＨＯＤ ＦＯＲ ＡＣＣＵＲＡＴＥＬＹ ＰＲＥＤＩＣＴＩＮＧ ＳＩＧＮＡＬ ＴＯ ＩＮＴＥＲＦＥＲＥＮＣＥ ＡＮＤ ＮＯＩＳＥ ＲＡＴＩＯ ＴＯ ＩＭＰＲＯＶＥ ＣＯＭＭＵＮＩＣＡＴＩＯＮＳ ＳＹＳＴＥＭ ＰＥＲＦＯＲＭＡＮＣＥ，”と題する出願係属中連続番号０９／３９４，９８０に開示され、それは本発明の譲受人に譲渡され、ここに引用文献として組み込まれる。
　図１は通常のオープンループレート制御装置１００を示す。対応するパケットの期間上でそれぞれ測定された例［ｎ−ｍ］，…［ｎ−１］，［ｎ］，の過去のＳＩＮＲ値の流れが予測器１０２に提供される。予測器１０２は以下の方程式にしたがって次のパケット期間上の平均ＳＩＮＲを予測する：
ＯＬ＿ＳＩＮＲPredicted ＝ ＯＬ＿ＳＩＮＲEstimated − Ｋ・σe（１）
　方程式（１）において、ＯＬ＿ＳＩＮＲPredictedは次のパケットのためのオープンループにより予測されたＳＩＮＲ、ＯＬ＿ＳＩＮＲEstimatedは過去のＳＩＮＲ値に基づくオープンループによって推定されたＳＩＮＲ、Ｋはバックオフ係数、σeはエラーメトリックの標準偏差である。
　例えば、推定されたＳＩＮＲはＳＩＮＲの過去の測定に作用しているローパスフィルタのバンクから出力を選択することにより得られるかもしれない。フィルタバンクからの特定のフィルタの選択は、エラーメトリックに基づいて、特定のフィルタ出力と出力に直接従っているパケット期間上の測定されたＳＩＮＲとの間の差として定義されるかもしれない。予測されたＳＩＮＲは、エラーメトリックのバックオフ係数Ｋおよび標準偏差σeの積に等しい量だけフィルタ出力から後戻りすることにより得られる。バックオフ係数Ｋの値は、バックオフ制御ループにより決定され、それはテール確率、即ち予測されたＳＩＮＲが測定されたＳＩＮＲを超える確率が時間のある割合で達成されることを確保する。
　ＳＩＮＲPredicted値は各データレートでパケットを首尾よく解読することを要求される最小のＳＩＮＲを表す一組のＳＩＮＲ閾値を維持するルックアップテーブル１０４に提供される。ＡＴ（示されない）は、そのＳＩＮＲ閾値が予測されたＳＩＮＲ以下である最も高いデータレートを選択するためにルックアップテーブル１０４を使用し、ＡＰ（示されない）が次のパケットをこのデータレートで送ることを要求する。）
　
ニ．「FIG. 2 illustrates an exemplary communication system 200 capable of implementing embodiments of the invention. An AP 204 transmits signals to an AT 202 over a forward link 206a, and receives signals from the AT 202 over a reverse link 206b. The communication system 200 can be operated bidirectionally, each of the terminals 202, 204 operating as a transmitter unit or a receiver unit, or both concurrently, depending on whether data is being transmitted from, or received at, the respective terminal 202, 204. In a cellular wireless communication system embodiment, the transmitting terminal 204 can be a base station (BS), the receiving terminal 202 can be a mobile station (MS), and the forward link 206a and reverse link 206b can be electromagnetic spectra.
 The AT 202 contains an apparatus for a rate control method in accordance with one embodiment of the present invention. The apparatus contains two control loops, an open loop and a closed loop.
 The open loop, comprising a SINR predictor 208 and a look up table 210, controls the forward-link data rate based on the difference between the average SINR of the next packet and SINR thresholds of all the data rates. A signal arriving at the AT 202 from the AP 204 over the forward link 206a in packets is provided to a decoder 212. The decoder 212 measures an average SINR over the duration of each packet, and provides the SINRs to the SINR predictor 208. In one embodiment, the predictor 208 predicts a SINR (OL_SNIRPredicted) value of the next packet in accordance with Equation (1). However, one skilled in the art will understand that any open loop method, not limited to the one expressed by Equation (1), may be used. The OL_ SNIRPredicted value is provided to the look up table 210. The look up table 210 maintains a set of SINR thresholds that represents the minimum SINR required to successfully decode a packet at each data rate. The set of SINR thresholds is adjusted by the operation of the closed loop.」
（第７頁第２０行〜第８頁第８行）
（仮訳：図２は発明の実施例を実行することができる例示的通信システム２００を示す。ＡＰ ２０４は順方向リンク２０６ａ上でＡＴ ２０２に信号を送信し、逆方向リンク２０６ｂ上でＡＴ ２０２から信号を受信する。通信システム２００は、データがそれぞれの端末２０２、２０４で送信され、または受信されるか否かに依存して、送信器ユニットまたは受信器ユニット、あるいは同時に両方として作動する端末２０２、２０４の各々を双方向に作動させることができる。セルラー無線通信システムの実施例では、送信端末２０４は基地局（ＢＳ）であることができ、受信端末２０２はモバイル局（ＭＳ）であることができ、順方向リンク２０６ａと逆方向リンク２０６ｂは電磁スペクトルであることができる。
　ＡＴ ２０２は本発明の一実施例によるレート制御方法のための装置を含んでいる。装置は２つの制御ループ、オープンループ、およびクローズドループを含んでいる。
　ＳＩＮＲ予測器２０８およびルックアップテーブル２１０を含むオープンループは、次のパケットの平均ＳＩＮＲとすべてのデータレートのＳＩＮＲ閾値の間の差に基づいた順方向リンクデータレートを制御する。パケットの順方向リンク２０６ａ上のＡＰ ２０４からＡＴ ２０２に届く信号はデコーダ２１２に提供される。デコーダ２１２は各パケットの期間上の平均ＳＩＮＲを測定し、ＳＩＮＲｓをＳＩＮＲ予測器２０８に提供する。一実施例では、予測器２０８が方程式（１）による次のパケットのＳＩＮＲ（ＯＬ＿ＳＩＮＲPredicted）値を予測する。しかしながら、技術に熟練した者は、任意のオープンループの方法が方程式（１）によって表されたものに制限されずに使用されるかもしれないことを理解するだろう。ＯＬ＿ＳＩＮＲPredicted値はルックアップテーブル２１０に提供される。ルックアップテーブル２１０は各データレートでパケットを首尾よく解読するために必要な最小のＳＩＮＲを表す一組のＳＩＮＲ閾値を維持する。一組のＳＩＮＲ閾値はクローズドループの作動により調整される。）
　
　
　上記引用例の記載及び関連する図面並びにこの分野の技術常識を考慮すると、
（１）引用例には、上記ロ．から明らかなように、「データレート」を「調整」する方法について記載されており、上記イ．ロ．ハ．から明らかなように、「ユーザのチャンネル条件」に依存して「目標パケットエラーレート」を維持するように「データレート」を選択して変える「適応レート選択」であるから、「データレート」を動的に調整すると言えるものであり、
（２）上記ニ．に記載されるように、「次のパケットの平均ＳＩＮＲとすべてのデータレートのＳＩＮＲ閾値との間の差」に基づいて「データレート」が選択されており、この差は、上記ハ．に記載されるように「目標パケットエラーレート」を維持するために用いられるからエラーファクターと言えるものであり、このエラーファクターが用いられることから生成されることも自明であり、
（３）上記ニ．から明らかなように、上記エラーファクター及び「ルックアップテーブル」に少なくとも部分的に基づいて「データレート」を選択しており、選択された「データレート」は選択後に用いられるから、後続のデータレートと言えるものであり、
（４）上記ハ．の方程式（１）から明らかなように、「次のパケットの平均ＳＩＮＲ（ＯＬ＿ＳＩＮＲPredicted）」は、「推定されたＳＩＮＲ（ＯＬ＿ＳＩＮＲEstimated）」と「Ｋ・σe」との差であるから、「次のパケットの平均ＳＩＮＲとすべてのデータレートのＳＩＮＲ閾値との間の差」は、推定されたＳＩＮＲとすべてのデータレートのＳＩＮＲ閾値との間の差に関連しており、
（５）「推定されたＳＩＮＲ」は、上記ハ．に記載されるように、「過去のＳＩＮＲ」に基づいて推定されたものであって、「過去のＳＩＮＲ」が過去に送信された「信号」のＳＩＮＲであることは技術常識であり、
（６）過去に送信された「信号」が「すべてのデータレート」の中の一つの「データレート」に従って送信された「信号」であることは自明であって、この「データレート」を第１データレートと称することは任意であり、
（７）上記（６）から、「すべてのデータレートのＳＩＮＲ閾値」に上記第１データレートのＳＩＮＲ閾値が含まれることは自明であり、上記ハ．からして、この第１データレートのＳＩＮＲ閾値が、第１データレートに従って送信された信号が目標パケットエラーレートを維持すると予測されたＳＩＮＲを示すことは技術常識である。
　
　したがって、上記（１）〜（７）からして、引用例には以下の発明（以下、「引用発明」という。）が開示されていると認められる。
　
「データレートを動的に調整する方法において、
　第１データレートに従って送信された信号の推定されたＳＩＮＲと前記第１データレートに従って送信された信号の予測されたＳＩＮＲとの間の差に関連するエラーファクターを生成する段階と、
　ルックアップテーブルおよび生成された前記エラーファクターに少なくとも部分的に基づいて後続のデータレートを選択する段階と、
　を含むことを特徴とする方法。」　
　
３．対比
　本願発明と引用発明とを対比するに、
引用発明の「信号」は、当然、データを送信する信号であるから、データ信号であり、
ＳＩＮＲとは、信号に対する干渉雑音比であるから、（データ）信号の性能特性といえるものであり、
引用発明の「エラーファクター」は、本願発明の「誤り係数」に相当し、
引用発明の「ルックアップテーブル」は、チャンネルのデータベースの一形態である。
　また、本願発明の「送信モード」も引用発明の「データレート」も、送信の一形態を示すから、「送信形態」である。
　
　したがって、本願発明と引用発明は、以下の点で一致ないし相違する。
　
（一致点）
「送信形態を動的に調整する方法において、
　第１送信形態に従って送信されたデータ信号の推定された性能特性と前記第１送信形態に従って送信されたデータ信号の予測された性能特性との間の差に関連する誤り係数を生成する段階と、
　チャンネルのデータベースおよび生成された前記誤り係数に少なくとも部分的に基づいて後続の送信形態を選択する段階と、
　を含む方法。」　
　
（相違点）
　送信形態について、本願発明は「送信モード」を調整するであるのに対して、引用発明は「データレート」を調整する点。
　
　
４．検討
　そこで、上記相違点について検討するに、例えば、国際公開第０１／０３７５０６号、米国特許第６２６２９９４号明細書、松岡秀浩外３名“誤り訂正符号を用いた適応変調方式”１９９５年電子情報通信学会総合大会講演論文集，１９９５年　３月１０日，通信１，ｐ．４３３に記載されるように、データレートの調整を、変調方式、符号化方式などの送信モードの調整で実施することは周知技術であるから、引用発明の「データレート」の「調整」を、送信モードの調整により行うことは、単なる周知技術の利用にすぎない。
　
　そして、本願発明の作用・効果も、引用発明及び周知技術から当業者が予測できる範囲のものである。
　
５．むすび
　以上のとおり、本願発明は、上記引用発明及び周知技術に基づいて、当業者が容易に発明をすることができたものと認められるから、特許法第２９条第２項の規定により特許を受けることができない。
　
　よって、結論のとおり審決する。